(57)【要約】【課題】トラック部に相当する部分又はその一部がトラック幅と略等しい幅を有する記録領域であり記録領域の間の部分が非記録領域である磁気記録媒体の記録対象の記録領域に限定して確実に磁気信号を記録できる磁気ヘッド及びこのような磁気記録媒体、磁気ヘッドを備える磁気記録再生装置を提供する。【解決手段】磁気記録再生装置１０は、トラック部に相当する部分が記録領域２２であり記録領域２２の間の部分が非記録領域２４である磁気記録媒体１２と、主磁極２６及び主磁極２６におけるクロストラック方向Ｄｃの両側に設置されたサイドシールド２８を有する磁気ヘッド１４と、を含み、トラック幅をＴｗ、ギャップ幅をＧｗ、磁気ヘッド１４における主磁極２６の中心２６Ａとサイドシールド２８の主磁極２６側の端部２８Ａとの距離をＳとして、次の式(I)  Ｓ＞Ｔｗ／２＋Ｇｗ  式(I)を満足する。【選択図】図３
2008152850.tif 000002
【特許請求の範囲】
【請求項１】
所定のトラック幅のトラック部及び所定のギャップ幅のギャップ部がクロストラック方向に交互に並んだトラックパターンの前記トラック部に相当する部分の少なくとも一部が前記トラック幅と略等しい幅を有する記録領域であり該記録領域の間の部分が非記録領域である磁気記録媒体と、前記記録領域に記録磁界を印加するための主磁極及び該主磁極における前記クロストラック方向の両側に設置されたサイドシールドを有する磁気ヘッドと、を含み、前記トラック幅をＴｗ、前記ギャップ幅をＧｗ、前記磁気ヘッドにおける前記主磁極の前記クロストラック方向の中心と前記サイドシールドの前記主磁極側の端部との前記クロストラック方向の距離をＳとして、次の式(I)
Ｓ＞Ｔｗ／２＋Ｇｗ  式(I)
を満足することを特徴とする磁気記録再生装置。
【請求項２】
請求項１において、
次の式(II）
Ｓ≦４／３×（Ｔｗ／２＋Ｇｗ）＋３００ｎｍ  式(II）
を満足することを特徴とする磁気記録再生装置。
【請求項３】
請求項１において、
次の式(III）
Ｓ≦４／３×（Ｔｗ／２＋Ｇｗ）＋１００ｎｍ  式(III）
を満足することを特徴とする磁気記録再生装置。
【請求項４】
請求項１乃至３のいずれかにおいて、
次の式(IV)
Ｓ≧０．６×Ｔｗ＋Ｇｗ  式(IV)
を満足することを特徴とする磁気記録再生装置。
【請求項５】
請求項１乃至３のいずれかにおいて、
次の式(V)
Ｓ＞０．６×Ｔｗ＋１．１×Ｇｗ  式(V)
を満足することを特徴とする磁気記録再生装置。
【請求項６】
請求項１乃至５のいずれかにおいて、
前記磁気記録媒体は、前記トラックパターンに相当する凹凸パターンで形成された記録層を有し、前記凹凸パターンの凸部が形成された領域が前記記録領域であり、前記凹凸パターンの凹部が形成された領域が前記非記録領域であることを特徴とする磁気記録再生装置。
【請求項７】
所定のトラック幅のトラック部及び所定のギャップ幅のギャップ部がクロストラック方向に交互に並んだトラックパターンの前記トラック部に相当する部分の少なくとも一部が前記トラック幅と略等しい幅を有する記録領域であり該記録領域の間の部分が非記録領域である磁気記録媒体に対して用いられ、前記記録領域に記録磁界を印加するための主磁極と、該主磁極における前記クロストラック方向の両側に設置されたサイドシールドと、を含み、前記トラック幅をＴｗ、前記ギャップ幅をＧｗ、前記主磁極の前記クロストラック方向の中心と前記サイドシールドの前記主磁極側の端部との前記クロストラック方向の距離をＳとして、次の式(I)
Ｓ＞Ｔｗ／２＋Ｇｗ  式(I)
を満足することを特徴とする磁気ヘッド。
【請求項８】
請求項７において、
次の式(II）
Ｓ≦４／３×（Ｔｗ／２＋Ｇｗ）＋３００ｎｍ  式(II）
を満足することを特徴とする磁気ヘッド。
【請求項９】
請求項７において、
次の式(III）
Ｓ≦４／３×（Ｔｗ／２＋Ｇｗ）＋１００ｎｍ  式(III）
を満足することを特徴とする磁気ヘッド。
【請求項１０】
請求項７乃至９のいずれかにおいて、
次の式(IV)
Ｓ≧０．６×Ｔｗ＋Ｇｗ  式(IV)
を満足することを特徴とする磁気ヘッド。
【請求項１１】
請求項７乃至９のいずれかにおいて、
次の式(V)
Ｓ＞０．６×Ｔｗ＋１．１×Ｇｗ  式(V)
を満足することを特徴とする磁気ヘッド。
【発明の詳細な説明】
【技術分野】
【０００１】
本発明は、トラック部に相当する部分又はその一部がトラック幅と略等しい幅を有する記録領域であり記録領域の間の部分が非記録領域である磁気記録媒体にデータを記録するための磁気ヘッド及びこのような磁気記録媒体、磁気ヘッドを備える磁気記録再生装置に関する。
【背景技術】
【０００２】
従来、ハードディスク等の磁気記録媒体は、記録層を構成する磁性粒子の微細化、材料の変更、ヘッド加工の微細化等の改良により著しい面記録密度の向上が図られている。又、表面に垂直な方向に磁化するように記録層を配向し、更に記録層の下に軟磁性層を形成することで面記録密度を高めるようにした垂直記録型の磁気記録媒体も実用化されつつあり、今後も一層の面記録密度の向上が期待されている。
【０００３】
しかしながら、ヘッドの加工限界、磁界の広がりに起因する記録対象のトラック部の隣の他のトラック部への誤った磁気信号の記録、再生時のクロストークなどの問題が顕在化し、従来の改良手法による面記録密度の向上は限界にきている。
【０００４】
尚、面記録密度の向上によるトラック幅の減少に伴って記録ヘッドの幅を小さくしても、記録ヘッドからクロストラック方向に漏れる記録磁界の大きさは減少しないと言われており、面記録密度が高くなる程、記録対象のトラック部の隣の他のトラック部への誤った磁気信号の記録が生じやすい。
【０００５】
これに対し、一層の面記録密度の向上を実現可能である磁気記録媒体の候補として、トラック部に相当する部分又はその一部がトラック幅と略等しい幅を有する記録領域であり記録領域の間の部分が非記録領域である磁気記録媒体が提案されている。
【０００６】
例えば、記録層がトラックパターンに相当する凹凸パターンで形成され記録層の凸部がトラック部の形状で形成された、記録領域がトラック部の形状であるディスクリートトラックメディアや記録層の凸部がトラック部を周方向に分離した形状で形成された、記録領域がトラック部を周方向に分離した形状であるパターンドメディア等の磁気記録媒体が提案されている（例えば、特許文献１参照）。
【０００７】
又、例えば記録層の記録領域又は非記録領域のいずれか一方に相当する部分にイオン注入処理や反応ガスによる処理が施され、飽和磁化量が実質的に消失した非記録領域と飽和磁化量を有する記録領域とが形成された磁気記録媒体も提案されている（例えば、特許文献２、３参照）。
【０００８】
このように、記録領域の間に非記録領域が存在することで、記録対象のトラック部の隣の他のトラック部への誤った情報記録や、隣り合うトラック部の間のクロストーク等が抑制されることが期待される。
【０００９】
【特許文献１】特開２００６−０４８８６０号公報
【特許文献２】特開２００６−２８６０８５号公報
【特許文献３】特開２００２−３５９１３８号公報
【発明の開示】
【発明が解決しようとする課題】
【００１０】
しかしながら、記録対象のトラック部の隣の他のトラック部への誤った磁気信号の記録等の問題はトラック部に形成された記録領域の形状等の磁気記録媒体側の構成だけでなく、磁気ヘッド側の構成にも影響されるので、トラック部に相当する部分又はその一部が記録領域であり記録領域の間の部分が非記録領域である磁気記録媒体であっても、記録対象のトラック部の隣の他のトラック部への誤った磁気信号の記録等の問題が生じることがあった。
【００１１】
本発明は、この問題点に鑑みてなされたものであって、トラック部に相当する部分又はその一部がトラック幅と略等しい幅を有する記録領域であり記録領域の間の部分が非記録領域である磁気記録媒体の記録対象のトラック部に限定して確実に磁気信号を記録できる磁気ヘッド及びこのような磁気記録媒体、磁気ヘッドを備える磁気記録再生装置を提供することを目的とする。
【課題を解決するための手段】
【００１２】
発明者らは、本発明に想到する過程で、まず磁気ヘッドの主磁極におけるクロストラック方向の両側にサイドシールドを設置することを試みた。サイドシールドを設置することで、記録対象のトラック部の上に配置される主磁極から隣の他のトラック部への記録磁界の流れが遮断され、記録対象のトラック部に限定して記録磁界を印加できると考えたためである。
【００１３】
しかしながら、このようにサイドシールドを設置しても、記録対象のトラック部の隣の他のトラック部への記録磁界の流れが充分に抑制されないことがあった。又、サイドシールドを設けない場合よりも、記録対象のトラック部の隣の他のトラック部に印加される記録磁界が却って増大してしまうこともあった。
【００１４】
この原因を解明すべく発明者らは更に鋭意研究を重ねたところ、サイドシールドの設置位置が主磁極に近すぎることが原因であることを突き止めた。より詳細には、磁気ヘッドの主磁極のクロストラック方向の中心が記録対象のトラック部のクロストラック方向の中心の真上に位置する場合に、サイドシールドの主磁極側の端部が記録対象のトラック部の隣の他のトラック部の主磁極側の端部又はこれよりも主磁極側に位置していると、該隣の他のトラック部に印加される記録磁界が充分に抑制されなかったり、サイドシールドを設けない場合よりも該隣のトラック部に印加される記録磁界が却って増大してしまうことを突き止めた。
【００１５】
そのメカニズムは必ずしも明らかではないが、サイドシールドの設置位置が主磁極に近すぎると、主磁極からサイドシールドに流れる記録磁界の比率が過大となって記録磁界がサイドシールドを介して記録対象のトラック部の隣の他のトラック部に向かうためと推定される。
【００１６】
これに対し、発明者らはサイドシールドの主磁極側の端部が記録対象のトラック部の隣の他のトラック部の主磁極側の端部の真上の位置よりも主磁極から離間する側に位置していれば、記録対象のトラック部の隣の他のトラック部に印加される記録磁界を抑制する効果が確実に得られることを見出した。
【００１７】
即ち、トラック幅をＴｗ、ギャップ幅をＧｗ、主磁極のクロストラック方向の中心とサイドシールドの主磁極側の端部とのクロストラック方向の距離をＳとして、
Ｓ＞Ｔｗ／２＋Ｇｗ      式(I)
を満足すれば、記録対象のトラック部の隣の他のトラック部に印加される記録磁界が充分に抑制されることを見出した。
【００１８】
即ち、次のような本発明により、上記目的を達成することができる。
【００１９】
（１）所定のトラック幅のトラック部及び所定のギャップ幅のギャップ部がクロストラック方向に交互に並んだトラックパターンの前記トラック部に相当する部分の少なくとも一部が前記トラック幅と略等しい幅を有する記録領域であり該記録領域の間の部分が非記録領域である磁気記録媒体と、前記記録領域に記録磁界を印加するための主磁極及び該主磁極における前記クロストラック方向の両側に設置されたサイドシールドを有する磁気ヘッドと、を含み、前記トラック幅をＴｗ、前記ギャップ幅をＧｗ、前記磁気ヘッドにおける前記主磁極の前記クロストラック方向の中心と前記サイドシールドの前記主磁極側の端部との前記クロストラック方向の距離をＳとして、次の式(I)
Ｓ＞Ｔｗ／２＋Ｇｗ  式(I)
を満足することを特徴とする磁気記録再生装置。
【００２０】
（２）  （１）において、次の式(II）
Ｓ≦４／３×（Ｔｗ／２＋Ｇｗ）＋３００ｎｍ  式(II）
を満足することを特徴とする磁気記録再生装置。
【００２１】
（３）  （１）において、次の式(III）
Ｓ≦４／３×（Ｔｗ／２＋Ｇｗ）＋１００ｎｍ  式(III）
を満足することを特徴とする磁気記録再生装置。
【００２２】
（４）  （１）乃至（３）のいずれかにおいて、次の式(IV)
Ｓ≧０．６×Ｔｗ＋Ｇｗ  式(IV)
を満足することを特徴とする磁気記録再生装置。
【００２３】
（５）  （１）乃至（３）のいずれかにおいて、次の式(V)
Ｓ＞０．６×Ｔｗ＋１．１×Ｇｗ  式(V)
を満足することを特徴とする磁気記録再生装置。
【００２４】
（６）  （１）乃至（５）のいずれかにおいて、前記磁気記録媒体は、前記トラックパターンに相当する凹凸パターンで形成された記録層を有し、前記凹凸パターンの凸部が形成された領域が前記記録領域であり、前記凹凸パターンの凹部が形成された領域が前記非記録領域であることを特徴とする磁気記録再生装置。
【００２５】
（７）所定のトラック幅のトラック部及び所定のギャップ幅のギャップ部がクロストラック方向に交互に並んだトラックパターンの前記トラック部に相当する部分の少なくとも一部が前記トラック幅と略等しい幅を有する記録領域であり該記録領域の間の部分が非記録領域である磁気記録媒体に対して用いられ、前記記録領域に記録磁界を印加するための主磁極と、該主磁極における前記クロストラック方向の両側に設置されたサイドシールドと、を含み、前記トラック幅をＴｗ、前記ギャップ幅をＧｗ、前記主磁極の前記クロストラック方向の中心と前記サイドシールドの前記主磁極側の端部との前記クロストラック方向の距離をＳとして、次の式(I)
Ｓ＞Ｔｗ／２＋Ｇｗ  式(I)
を満足することを特徴とする磁気ヘッド。
【００２６】
（８）  （７）において、
次の式(II）
Ｓ≦４／３×（Ｔｗ／２＋Ｇｗ）＋３００ｎｍ  式(II）
を満足することを特徴とする磁気ヘッド。
【００２７】
（９）  （７）において、
次の式(III）
Ｓ≦４／３×（Ｔｗ／２＋Ｇｗ）＋１００ｎｍ  式(III）
を満足することを特徴とする磁気ヘッド。
【００２８】
（１０）  （７）乃至（９）のいずれかにおいて、次の式(IV)
Ｓ≧０．６×Ｔｗ＋Ｇｗ  式(IV)
を満足することを特徴とする磁気ヘッド。
【００２９】
（１１）  （７）乃至（９）のいずれかにおいて、次の式(V)
Ｓ＞０．６×Ｔｗ＋１．１×Ｇｗ  式(V)
を満足することを特徴とする磁気ヘッド。
【００３０】
尚、本出願において、「所定のトラック幅のトラック部及び所定のギャップ幅のギャップ部がクロストラック方向に交互に並んだトラックパターン」とは、トラック部が同心の円又は円弧の形状であるトラックパターン、及びトラック部が螺旋状の渦巻き形状であるトラックパターンを含む。
【００３１】
又、本出願において、「トラック部に相当する部分の少なくとも一部がトラック幅と略等しい幅を有する記録領域である」とは、トラック部の全部が記録領域であり記録領域がトラック部の形状である場合、及びトラック部の一部が記録領域であり記録領域がトラック部を周方向に分割した形状である場合を含む。尚、記録領域がトラック部を周方向に分割した形状である場合、トラックパターンのギャップ部に相当する部分だけでなくトラック部における周方向に分割された記録領域の間の部分も非記録領域である。
【００３２】
又、本出願において、「クロストラック方向」という用語は、トラック幅の方向及びギャップ幅の方向に略平行な方向という意味で用いる。
【００３３】
又、本出願において、「記録領域」という用語は、記録磁界が印加されることにより磁化反転可能であり、記録された磁気信号を再生可能であるように保持する能力を有する領域という意味で用いる。
【００３４】
又、本出願において、「非記録領域」という用語は、磁気信号を保持する能力が記録領域よりも低い領域、又は磁気信号を再生可能であるように保持する能力を実質的に有しない領域という意味で用いる。より具体的には、非記録領域とは、磁気記録媒体に磁気信号を記録した状態において、その領域から発生する磁界が記録領域から発生する磁界よりも小さい領域、又は、その領域から発生する磁界が実質的に存在しない領域を意味する。尚、非記録領域は、非磁性材で記録領域を分離する構成や磁気的な影響を無視しうる程度の材料又は磁気信号を保持する能力が記録領域よりも低い磁性材料で記録領域を分離する構成でもよく、空隙であってもよい。
【００３５】
又、本出願において「磁気記録媒体」という用語は、磁気信号の記録、再生に磁気のみを利用するハードディスク、フロッピー（登録商標）ディスク等に限定されず、磁気と光を併用するＭＯ（Ｍａｇｎｅｔｏ  Ｏｐｔｉｃａｌ）等の光磁気記録媒体、磁気と熱を併用する熱アシスト型の記録媒体も含む意義で用いることとする。
【００３６】
又、本出願の式(I)、(II)、(III)、(IV)、(V)においてＴｗ、Ｇｗ、Ｓの単位はｎｍである。
【発明の効果】
【００３７】
本発明によれば、トラック部に相当する部分又はその一部がトラック幅と略等しい幅を有する記録領域であり記録領域の間の部分が非記録領域である磁気記録媒体の記録対象の記録領域に限定して確実に磁気信号を記録できる磁気ヘッド及びこのような磁気記録媒体、磁気ヘッドを備える磁気記録再生装置を実現できる。
【発明を実施するための最良の形態】
【００３８】
以下、本発明の好ましい実施形態について図面を参照して詳細に説明する。
【００３９】
図１に示されるように、本発明の実施形態に係る磁気記録再生装置１０は、磁気記録媒体１２と、磁気記録媒体１２に対して磁気信号の記録／再生を行うために磁気記録媒体１２の表面に近接して浮上可能であるように設置された磁気ヘッド１４と、を備えている。
【００４０】
尚、磁気記録媒体１２は中心孔１２Ａを有し、中心孔１２Ａにおいてチャック１６に固定され、該チャック１６と共に回転自在とされている。又、磁気ヘッド１４は、アーム１８の先端近傍に装着され、アーム１８はベース２０に回動自在に取付けられている。これにより、磁気ヘッド１４は磁気記録媒体１２の表面に近接して磁気記録媒体１２の径方向に沿う円弧軌道で可動とされている。
【００４１】
磁気記録媒体１２は、略円板形状の垂直記録型のディスクリートトラックメディアで、図２に示されるように周方向に適宜な間隔で設定された複数のサーボ領域ＳＡとこれらサーボ領域ＳＡで仕切られた複数のデータ領域ＤＡに区分けされている。データ領域ＤＡのトラックパターンは所定のトラック幅Ｔｗの同心の円弧の形状のトラック部と所定のギャップ幅Ｇｗのギャップ部とがクロストラック方向Ｄｃに交互に並んだパターンである。
【００４２】
図３及び４に示されるように、磁気記録媒体１２は、トラック部に相当する部分が記録領域２２であり、記録領域２２の間のギャップ部に相当する部分が記録領域２２を磁気的に分離するための非記録領域２４である。尚、トラック幅Ｔｗは１０〜２００ｎｍである。又、ギャップ幅Ｇｗも１０〜２００ｎｍである。
【００４３】
磁気ヘッド１４は、記録領域２２に記録磁界を印加するための主磁極２６と、該主磁極２６におけるクロストラック方向Ｄｃ（磁気記録媒体１２の径方向）の両側に設置されたサイドシールド２８とを有している。
【００４４】
磁気記録再生装置１０は、磁気ヘッド１４における主磁極２６のクロストラック方向Ｄｃの中心２６Ａとサイドシールド２８の主磁極１８側の端部２８Ａとのクロストラック方向Ｄｃの距離をＳとして、次の式(I)
Ｓ＞Ｔｗ／２＋Ｇｗ  式(I)
を満足している。
【００４５】
又、磁気記録再生装置１０は、次の式(II)
Ｓ≦４／３×（Ｔｗ／２＋Ｇｗ）＋３００ｎｍ  式(II)
を満足している。
【００４６】
他の構成については本実施形態の理解のために重要とは思われないため、説明を適宜省略することとする。
【００４７】
磁気記録媒体１２は、基板３０と、軟磁性層３２と、配向層３４と、記録層３６と、を有し、これらの層がこの順で基板３０の上に形成されている。
【００４８】
基板３０は、記録層３６側の面が鏡面研磨されている。基板３０の材料としては、ガラス、ＮｉＰで被覆したＡｌ合金、Ｓｉ、Ａｌ２Ｏ３等の非磁性材料を用いることができる。
【００４９】
軟磁性層３２は、厚さが５０〜３００ｎｍであり、その両面は実質的に平坦である。軟磁性層３２の材料としては、Ｆｅ合金、Ｃｏアモルファス合金、フェライト等を用いることができる。尚、軟磁性層３２は、軟磁性を有する層と非磁性層との積層構造であってもよい。
【００５０】
配向層３４は、厚さが２〜４０ｎｍである。配向層４０の材料としては、非磁性のＣｏＣｒ合金、Ｔｉ、Ｒｕ、ＲｕとＴａの積層体、ＭｇＯ等を用いることができる。
【００５１】
記録層３６は、データ領域ＤＡにおいてトラックパターンに相当する凹凸パターンで形成されており、凹凸パターンの凸部である記録要素３６Ａが形成された領域が記録領域２２であり、凹凸パターンの凹部が形成された領域が非記録領域２４である。具体的には、記録層３６は多数の記録要素３６Ａに分割されており、記録要素３６Ａはデータ領域ＤＡにおいてトラック部の形状で形成されている。図３及び４はこれを図示したものである。尚、記録層３６は、サーボ領域ＳＡにおいて所定のサーボパターンで形成されている（図示省略）。
【００５２】
記録層３６は、厚さが５〜４０ｎｍである。記録層３６の飽和磁化量Ｂｓは０．３８〜１．０Ｔであることが好ましい。又、記録層３６の厚さ方向の保磁力Ｈｃは２７５〜５６０ｋＡ／ｍであることが好ましい。記録層３６の材料としては、ＣｏＣｒＰｔ合金等のＣｏ及びＣｒを含む合金、Ｃｏ及びＰｔを含む合金、Ｃｏ及びＰｄを含む合金、Ｆｅ及びＰｔを含む合金、Ｆｅ及びＣｏを含む合金、これらの積層体、ＳｉＯ２等の酸化物材料の中にＣｏＰｔ等の強磁性粒子をマトリックス状に含ませた材料等を用いることができる。記録層３６は、磁気記録媒体１２の表面に垂直な方向に磁化されるように配向されている。
【００５３】
尚、記録要素３６Ａの側面は磁気記録媒体１２の表面を臨む方向に傾斜したテーパ形状であってもよい。この場合、トラック幅Ｔｗ、ギャップ幅Ｇｗは、記録層３６の上面の位置における幅である。
【００５４】
一方、ギャップ部に相当する記録要素３６Ａの間の凹部には、充填材３８が充填され、記録要素３６Ａ及び充填材３８の上面は略平坦である。このギャップ部の形状の充填材３８が非記録領域２４を構成している。充填材３０の材料としては、ＳｉＯ２、Ａｌ２Ｏ３、ＴｉＯ２、ＭｇＯ、ＺｒＯ２、フェライト等の酸化物、ＡｌＮ等の窒化物、ＳｉＣ等の炭化物、Ｃ（炭素）、ＣｕやＣｒのような非磁性の金属、樹脂材料等を用いることができる。
【００５５】
尚、記録層３６及び充填材３８の上には、保護層、潤滑層がこの順で形成されてもよいが、これらの層は本実施形態の理解のために重要とは思われないためここでは図示及び説明を省略する。
【００５６】
又、基板３０と軟磁性層３２との間には、下地層や反強磁性層が形成されてもよいが、これらの層も本実施形態の理解のために重要とは思われないためここでは図示及び説明を省略する。
【００５７】
図５に示されるように、磁気ヘッド１４は、記録ヘッド部４０と再生ヘッド部４２とを有し、主磁極２６及びサイドシールド２８は記録ヘッド部４０の一部を構成している。
【００５８】
記録ヘッド部４０は更に、主磁極２６よりも前側（磁気記録媒体１２の駆動に対する相対的な磁気ヘッド１４の進行方向の前側）に設置された補助磁極４４と、主磁極２６よりも後側（磁気記録媒体１２の駆動に対する相対的な磁気ヘッド１４の進行方向の後側）に設置されたトレーリングシールド４６と、励磁コイル４８と、を備えている。尚、図５中の右向きの矢印及び図３中の上向きの矢印は、磁気記録媒体１２の進行方向を示す。
【００５９】
再生ヘッド部４２は、記録ヘッド部４０の前側に設置されている。再生ヘッド部４２は、ＭＲ素子５０と、ＭＲ素子５０よりも前側に設置されたリーディングシールド５２と、ＭＲ素子５０及び補助磁極４４の間に設置された中間シールド５４と、を備えている。
【００６０】
主磁極２６は、トラック部の周方向から見て磁気記録媒体１２に近接する先端が基端よりも細い形状である。主磁極２６の先端のクロストラック方向Ｄｃの主磁極幅ＰｗはＴｗ／２〜２Ｔｗ程度であり、３Ｔｗ／４〜３Ｔｗ／２程度であることが好ましい。又、主磁極幅Ｐｗは、トラックピッチＴｐ＝Ｔｗ＋Ｇｗに対し、０．３Ｔｐ〜１．２Ｔｐであり、０．６Ｔｐ〜１．０Ｔｐであることがより好ましい。主磁極２６の材料の飽和磁化量Ｂｓは１．８〜２．３Ｔであることが好ましい。又、主磁極２６の材料は軟磁性材料であり、その保磁力Ｈｃは０．１〜８００Ａ／ｍであることが好ましい。主磁極２６の材料としては、Ｃｏを含む合金、Ｆｅを含む合金、Ｆｅ及びＣｏを含む合金、Ｆｅ及びＮｉを含む合金、Ｆｅ及びＮを含む合金、Ｆｅ及びＡｌを含む合金等を用いることができる。主磁極２６の下面と記録層３６の上面との間の磁気的ギャップは３〜３０ｎｍである。
【００６１】
尚、図３は、磁気ヘッド１４については主磁極２６の先端の近傍の断面を示しており、磁気記録媒体１２の表面に垂直な方向から見た主磁極２６及びサイドシールド２８の外形を模式的に示したものである。一方、図３における磁気記録媒体１２のハッチングは記録領域２２及び非記録領域２４を区別するためのものであり、断面を示すものではない。尚、図３において磁気記録媒体１２の表面に垂直な方向から見た主磁極２６の先端の形状は長方形であるが、主磁極２６の先端の形状は後側の辺が前側の辺よりも長い略台形であってもよい。この場合、上述の主磁極幅Ｐｗ（主磁極２６の先端の幅）は、最大の幅（後側の長い方の辺の長さ）である。
【００６２】
サイドシールド２８は、トラック部の周方向の長さが、主磁極２６のトラック部の周方向の長さの１．１倍〜２倍である。尚、主磁極２６側の端部２８Ａは、トラック部の周方向に略平行である。即ち、クロストラック方向Ｄｃに対して略垂直である。又、サイドシールド２８の厚さ（磁気記録媒体１２の表面に垂直な方向の厚さ）は５０ｎｍ〜１μｍである。又、サイドシールド２８の下面の高さは主磁極２６の下面の高さと実質的に等しい。サイドシールド２８の材料の飽和磁化量Ｂｓは０．７〜２．３Ｔであることが好ましい。又、サイドシールド２８の材料は軟磁性材料であり、その保磁力Ｈｃは０．１〜８００Ａ／ｍであることが好ましい。サイドシールド２８の材料としては、主磁極２６と同様にＣｏを含む合金、Ｆｅを含む合金、Ｆｅ及びＣｏを含む合金、Ｆｅ及びＮｉを含む合金、Ｆｅ及びＮを含む合金、Ｆｅ及びＡｌを含む合金等を用いることができる。
【００６３】
次に、磁気記録再生装置１０の作用について説明する。
【００６４】
磁気記録再生装置１０は、トラック幅Ｔｗ、ギャップ幅Ｇｗ、磁気ヘッド１４における主磁極２６の中心２６Ａとサイドシールド２８の主磁極２６側の端部２８Ａとの距離Ｓが、上記式(I)を満足している。
【００６５】
即ち、磁気ヘッド１４の主磁極２６のクロストラック方向Ｄｃの中心が記録対象のトラック部のクロストラック方向Ｄｃの中心の真上に位置する場合に、サイドシールド２８の主磁極２６側の端部２８Ａが記録対象のトラック部（記録領域２２）の隣の他のトラック部の主磁極２６側の端部２８Ａよりも主磁極２６から離間する側に位置している。
【００６６】
従って、サイドシールドが存在しない場合に対し、記録対象のトラック部の隣の他のトラック部に印加される記録磁界を抑制する効果が確実に得られる。
【００６７】
又、磁気記録再生装置１０は、Ｔｗ、Ｇｗ、Ｓが、上記式(II)を満足しているので、サイドシールドが存在しない場合に対して、記録対象のトラック部の隣の他のトラック部に印加される記録磁界を抑制する効果が得られる。
【００６８】
サイドシールドが存在しない場合に対して、記録対象のトラック部の隣の他のトラック部に印加される記録磁界を抑制する効果を高めるためには、Ｔｗ、Ｇｗ、Ｓが、次の式（III）
Ｓ≦４／３×（Ｔｗ／２＋Ｇｗ）＋１００ｎｍ  式（III）
を満足することが好ましい。
【００６９】
更に、サイドシールドが存在しない場合に対して、記録対象のトラック部の隣の他のトラック部に印加される記録磁界を抑制する効果を一層高めるためには、Ｔｗ、Ｇｗ、Ｓが、次の式（IV）
Ｓ≧０．６×Ｔｗ＋Ｇｗ  式(IV)
を満足することが好ましく、次の式（V）
Ｓ＞０．６×Ｔｗ＋１．１×Ｇｗ  式(V)
を満足することが更に好ましい。
【００７０】
式(I)、(II)、(III)、（IV）、(V)の根拠については、後述のシミュレーション例の欄において更に詳細に説明する。
【００７１】
尚、上記実施形態において、充填材３８の材料として、ＳｉＯ２、Ａｌ２Ｏ３、ＴｉＯ２、ＭｇＯ、ＺｒＯ２、フェライト等の酸化物、ＡｌＮ等の窒化物、ＳｉＣ等の炭化物、Ｃ（炭素）、ＣｕやＣｒのような非磁性の金属、樹脂材料等が例示されているが、化学的に安定で磁気信号を保持する能力が記録領域よりも低い材料、又は、磁気信号を再生可能であるように保持する能力を実質的に有しない材料であれば、充填材３８の材料は特に限定されない。例えば、充填材３８の材料として、他の非磁性材料や磁気的な影響を無視しうる程度に磁気信号を保持する能力が記録領域よりも低い磁性材料を用いてもよい。
【００７２】
又、上記実施形態において、非記録領域２４に充填材３８が設置されているが、記録層の記録領域又は非記録領域のいずれか一方に相当する部分にイオン注入処理や反応ガスによる処理を施して飽和磁化量が実質的に消失した非記録領域と、飽和磁化量を有する記録領域とを形成してもよい。
【００７３】
又、上記実施形態において、磁気記録媒体１２は、非記録領域２４に充填材３８が設置され表面が略平坦であるが、磁気記録媒体１２の表面が記録層３６の凹凸パターン又はこれに倣った凹凸パターンであっても安定したヘッド浮上高さが得られる場合には、非記録領域２４に充填材３８を設置せず、非記録領域２４を凹部としてもよい。
【００７４】
又、上記実施形態において、磁気記録媒体１２は基板３０の片面に記録層３６が形成された片面記録式であるが、基板の両面に記録層を形成した両面記録式の磁気記録媒体についても本発明を適用可能である。
【００７５】
又、上記実施形態において、磁気記録媒体１２は垂直記録式であるが、面内記録式の磁気記録媒体についても本発明は適用可能である。尚、面内記録式の場合、記録層の下に軟磁性層を形成する必要はない。
【００７６】
又、上記実施形態において、磁気記録媒体１２は記録領域２２がトラック部の形状であるディスクリートトラックメディアであるが、記録領域２２がトラック部を周方向に分割した形状であるパターンドメディアについても本発明は適用可能である。
【００７７】
又、上記実施形態において、磁気記録媒体１２のトラックパターンはトラック部が同心の円弧の形状であるパターンであるが、トラック部が螺旋形状であるトラックパターンの磁気記録媒体にも本発明は当然適用可能である。
【００７８】
又、上記実施形態において、記録層３６は多数の記録要素３６Ａに分割されているが、図６に示されるように基板６０側の下面が連続し非記録領域２４における上面が記録領域２２における上面よりも基板３０側に凹んだ凹凸パターンの記録層６２を有する磁気記録媒体６４、図７に示されるように基板７０の凹凸パターンの表面に倣って形成された連続した記録層７２を有する磁気記録媒体７４、図８に示されるように基板８０の凹凸パターンの表面の凸部の上面及び凹部の上面に分割されて形成された記録層８２を有する磁気記録媒体８４、記録層の記録領域又は非記録領域のいずれか一方に相当する部分にイオン注入処理や反応ガスによる処理が施されて飽和磁化量が実質的に消失した非記録領域と飽和磁化量を有する記録領域とが形成された磁気記録媒体にも本発明は当然適用可能である。
【００７９】
[シミュレーション例１]
上記実施形態におけるトラック幅Ｔｗ、ギャップ幅Ｇｗ、主磁極幅Ｐｗを表１に示される値に設定した３種類のシミュレーションモデルＡ、Ｂ、Ｃを作成した。
【００８０】
【表１】
2008152850.tif 000003
【００８１】
他の条件は、以下のように設定した。尚、これらの条件はシミュレーションモデルＡ、Ｂ、Ｃに共通である。
【００８２】
記録層３６の飽和磁化量Ｂｓ        ：０．５Ｔ
主磁極２６の飽和磁化量Ｂｓ        ：２．３Ｔ
サイドシールド２８の飽和磁化量Ｂｓ：１．１Ｔ
磁気的ギャップ                    ：１０ｎｍ
サイドシールド２８の厚さ          ：２５０ｎｍ
【００８３】
又、主磁極２６のクロストラック方向Ｄｃの中心２６Ａは記録対象の記録領域２２のクロストラック方向Ｄｃの中心の真上に位置するように設定した。
【００８４】
これらシミュレーションモデルＡ、Ｂ、Ｃに、それぞれ磁気ヘッド１４における主磁極２６の中心２６Ａとサイドシールド２８の主磁極２６側の端部２８Ａとの距離Ｓを複数の異なる大きさの値に設定してシミュレーションを実行し、記録対象のトラック部（主磁極２６の真下のトラック部）の隣の他のトラック部の主磁極２６側の端部に印加される記録磁界の大きさを計算した。Ｓと、記録対象のトラック部の隣の他のトラック部の主磁極２６側の端部に印加される記録磁界の大きさとの関係を表２及び図９に示す。
【００８５】
【表２】
2008152850.tif 000004
【００８６】
尚、図９中の符号Ａ、Ｂ、Ｃは、これらが付された曲線がシミュレーションモデルＡ、Ｂ、Ｃのデータであることを示す。又、表２及び図９に示される、記録磁界の大きさは、サイドシールドがなく他の条件は本シミュレーション例１と等しく設定された他のシミュレーションモデルについて算出された、記録対象のトラック部の隣の他のトラック部の主磁極２６側の端部に印加される記録磁界の大きさを１として規格化された値である。尚、本シミュレーション例１の計算結果は、このように規格化された値であるので、主磁極２６の下面と記録層３６の上面との間の磁気的ギャップが例えば３〜３０ｎｍの範囲内で変化しても計算結果は殆ど変化しない。又、記録層、主磁極、サイドシールドの磁気特性が変化しても、記録磁界の規格化された計算結果は、本シミュレーション例１の計算結果と同様の傾向を示す。
【００８７】
[シミュレーション例２]
上記シミュレーション例１のシミュレーションモデルＢに対し、表１に示されるように主磁極幅Ｐｗが異なる値に設定された２種類のシミュレーションモデルＤ、Ｅを作成した。他の条件は、シミュレーションモデルＢと同じ条件に設定した。
【００８８】
これらシミュレーションモデルＤ、Ｅに、上記シミュレーション例１と同様に、それぞれ磁気ヘッド１４における主磁極２６の中心２６Ａとサイドシールド２８の主磁極２６側の端部２８Ａとの距離Ｓを複数の異なる大きさの値に設定してシミュレーションを実行し、記録対象のトラック部の隣の他のトラック部の主磁極２６側の端部に印加される記録磁界の大きさを計算した。
【００８９】
シミュレーションモデルＤ、Ｅに関する、Ｓと、記録対象のトラック部の隣の他のトラック部の主磁極２６側の端部に印加される記録磁界の大きさとの関係を表３及び図１０に示す。又、図１０には上記シミュレーションモデルＢに関する計算結果も併記する。
【００９０】
【表３】
2008152850.tif 000005
【００９１】
尚、図１０中の符号Ｂ、Ｄ、Ｅは、これらが付された曲線がシミュレーションモデルＢ、Ｄ、Ｅのデータであることを示す。
【００９２】
[シミュレーション例３]
トラック幅Ｔｗとギャップ幅Ｇｗとの比が１：１である上記シミュレーション例１のシミュレーションモデルＢに対し、表１に示されるようにトラック幅Ｔｗ、ギャップ幅Ｇｗが異なる値に設定された２種類のシミュレーションモデルＦ、Ｇを作成した。尚、シミュレーションモデルＢ、Ｆ、Ｇは、トラックピッチに相当する、トラック幅Ｔｗとギャップ幅Ｇｗとを合計した値が等しい。他の条件は、シミュレーションモデルＢと同じ条件に設定した。
【００９３】
これらシミュレーションモデルＦ、Ｇに、上記シミュレーション例１と同様に、それぞれ磁気ヘッド１４における主磁極２６の中心２６Ａとサイドシールド２８の主磁極２６側の端部２８Ａとの距離Ｓを複数の異なる大きさの値に設定してシミュレーションを実行し、記録対象のトラック部の隣の他のトラック部の主磁極２６側の端部に印加される記録磁界の大きさを計算した。
【００９４】
シミュレーションモデルＦ、Ｇに関する、Ｓと、記録対象のトラック部の隣の他のトラック部の主磁極２６側の端部に印加される記録磁界の大きさとの関係を表４及び図１１に示す。又、図１１には上記シミュレーションモデルＢに関する計算結果も併記する。
【００９５】
【表４】
2008152850.tif 000006
【００９６】
尚、図１１中の符号Ｂ、Ｆ、Ｇは、これらが付された曲線がシミュレーションモデルＢ、Ｆ、Ｇのデータであることを示す。
【００９７】
図９に示されるように、シミュレーションモデルＡ、Ｂ、Ｃは、いずれもＳが所定の値の場合に、記録対象のトラック部の隣の他のトラック部の主磁極２６側の端部に印加される記録磁界の大きさが最小値となり、Ｓがこれよりも増加しても減少しても、記録対象のトラック部の隣の他のトラック部の主磁極２６側の端部に印加される記録磁界の大きさが増加することがわかった。
【００９８】
記録対象のトラック部の隣の他のトラック部の主磁極２６側の端部に印加される記録磁界の大きさが最小値となるＳの値よりもＳが小さい範囲では、Ｓが所定の値以下になると、記録対象のトラック部の隣の他のトラック部の主磁極２６側の端部に印加される記録磁界の大きさが急激に増加する傾向があり、更にＳが過度に小さいと、サイドシールドがない場合よりも、記録対象のトラック部の隣の他のトラック部の主磁極２６側の端部に印加される記録磁界の大きさが却って増加する（図９において１．０を超える）ことがわかった。
【００９９】
このように、記録対象のトラック部の隣の他のトラック部の主磁極２６側の端部に印加される記録磁界の大きさが急激に増加し始める点に相当する、サイドシールド２８の主磁極２６側の端部２８Ａの位置は、記録対象のトラック部の隣の他のトラック部の主磁極２６側の端部の真上の位置である。
【０１００】
言い換えれば、サイドシールド２８の主磁極２６側の端部２８Ａが記録対象のトラック部の隣の他のトラック部の主磁極２６側の端部の真上の位置よりも主磁極２６から離間していれば、記録対象のトラック部の隣の他のトラック部に印加される記録磁界を抑制する効果が確実に得られる。
【０１０１】
サイドシールド２８の主磁極２６側の端部２８Ａが記録対象のトラック部の隣の他のトラック部の主磁極２６側の端部の真上の位置する場合、ＳはＴｗ／２＋Ｇｗである。従って、
Ｓ＞Ｔｗ／２＋Ｇｗ  式(I)
を満足すれば、記録対象のトラック部の隣の他のトラック部に印加される記録磁界を抑制する効果が確実に得られることがわかった。
【０１０２】
一方、記録対象のトラック部の隣の他のトラック部の主磁極２６側の端部に印加される記録磁界の大きさが最小値となる場合よりもＳが増大すると、記録対象のトラック部の隣の他のトラック部の主磁極２６側の端部に印加される記録磁界の大きさは、サイドシールドがない場合の値（図９において１．０）に収束していく傾向があり、図９の各曲線の右側の端点（シミュレーションモデルＡにおいてＳが４００ｎｍの点、シミュレーションモデルＢにおいてＳが５００ｎｍの点、シミュレーションモデルＣにおいてＳが６００ｎｍの点）では、サイドシールドがない場合の値にほぼ収束し、サイドシールドの効果が得られなくなることがわかった。各シミュレーションモデルにおいて右側の端点に相当するＳは４／３×（Ｔｗ／２＋Ｇｗ）＋３００（ｎｍ）で示されることがわかった。従って、
Ｓ≦４／３×（Ｔｗ／２＋Ｇｗ）＋３００ｎｍ  式（II）
を満足すれば、サイドシールドの一定の効果が得られることがわかった。
【０１０３】
又、シミュレーションモデルＡにおいてＳが２００ｎｍである点、シミュレーションモデルＢにおいてＳが３００ｎｍである点、シミュレーションモデルＣにおいてＳが４００ｎｍである点では、サイドシールドがない場合に対して、記録対象のトラック部の隣の他のトラック部の主磁極２６側の端部に印加される記録磁界の大きさを低減する明確な効果が得られることがわかった。各シミュレーションモデルにおいて、これらの点に相当する点のＳは４／３×（Ｔｗ／２＋Ｇｗ）＋１００（ｎｍ）で示されることがわかった。従って、
Ｓ≦４／３×（Ｔｗ／２＋Ｇｗ）＋１００ｎｍ  式(III）
を満足すれば、記録対象のトラック部の隣の他のトラック部の主磁極２６側の端部に印加される記録磁界の大きさを低減する明確な効果が得られることがわかった。
【０１０４】
又、シミュレーションモデルＡにおいてＳが８０〜１００ｎｍである点、シミュレーションモデルＢにおいてＳが１６０〜２００ｎｍである点、シミュレーションモデルＣにおいてＳが２４０〜３００ｎｍである点では、記録対象のトラック部の隣の他のトラック部の主磁極２６側の端部に印加される記録磁界の大きさが最小値に近い値となり、サイドシールドがない場合に対し、記録対象のトラック部の隣の他のトラック部の主磁極２６側の端部に印加される記録磁界の大きさを著しく低減する効果が得られることがわかった。
【０１０５】
各シミュレーションモデルにおいて、このような効果が得られる下限のＳはＴｗ／２＋Ｇｗ＋０．１×Ｔｗ＝０．６×Ｔｗ＋Ｇｗで示されることがわかった。又、このような効果が得られる上限のＳはＴｗ／２＋Ｇｗ＋０．５×Ｔｗ＝Ｔｗ＋Ｇｗで示されることがわかった。従って、次の式(IV)、式(VI)
Ｓ≧０．６×Ｔｗ＋Ｇｗ  式(IV)
Ｓ≦Ｔｗ＋Ｇｗ  式(VI)
を満足すれば、サイドシールドがない場合に対し、記録対象のトラック部の隣の他のトラック部の主磁極２６側の端部に印加される記録磁界の大きさを著しく低減する効果が得られることがわかった。
【０１０６】
又、磁気ヘッド１４の位置は主磁極２６の中心２６Ａと記録対象のトラック部のクロストラック方向Ｄｃの中心とが一致するように制御されるが、実際にはオフトラック（主磁極２６の中心２６Ａと記録対象のトラック部の中心とのクロストラック方向Ｄｃのずれ）とその補正とが繰り返されるため断続的にオフトラックが生じる。
【０１０７】
一方、サイドシールド２８の主磁極２６側の端部２８Ａが記録対象のトラック部の隣の他のトラック部の主磁極２６側の端部の真上の位置又はこれよりも主磁極２６側に位置する場合、主磁極２６のクロストラック方向Ｄｃの変動に対する記録対象のトラック部の隣の他のトラック部の主磁極２６側の端部に印加される記録磁界の変動が大きく、オフトラック量によっては記録対象のトラック部の隣の他のトラック部の主磁極２６側の端部に印加される記録磁界が著しく大きくなる可能性がある。
【０１０８】
このようなオフトラックに対するマージンを考慮すると、サイドシールド２８の主磁極２６側の端部２８Ａが記録対象のトラック部の隣の他のトラック部の主磁極２６側の端部の真上の位置よりも主磁極２６側からある程度離間していることが好ましく、この点でも上記式(IV)を満足することが好ましい。
【０１０９】
尚、シミュレーション例２に係る図１０に示されるように、トラック幅Ｔｗ、ギャップ幅Ｇｗが等しい場合、主磁極幅Ｐｗが増減しても、記録対象のトラック部の隣の他のトラック部の主磁極２６側の端部に印加される記録磁界の大きさが最小となるＳの値、及びこれよりもＳが小さい範囲において記録対象のトラック部の隣の他のトラック部の主磁極２６側の端部に印加される記録磁界の大きさが急激に増大し始めるＳの上限値は殆ど変化しないことがわかった。
【０１１０】
更に、主磁極幅Ｐｗが増減しても、記録対象のトラック部の隣の他のトラック部の主磁極２６側の端部に印加される記録磁界の大きさが最小となるＳよりもＳが大きい範囲において、記録磁界の大きさがサイドシールドがない場合の値にほぼ収束するＳの値（右端の点に相当するＳの値）、及びサイドシールドがない場合に対して記録対象のトラック部の隣の他のトラック部の主磁極２６側の端部に印加される記録磁界の大きさを低減する明確な効果が得られるＳの上限値も殆ど変化しないことがわかった。
【０１１１】
更に又、主磁極幅Ｐｗが増減しても、記録対象のトラック部の隣の他のトラック部の主磁極２６側の端部に印加される記録磁界の大きさが最小値に近い値となるＳの範囲も殆ど変化しないことがわかった。
【０１１２】
従って、主磁極幅Ｐｗの値によらず、式(I)、(II)、(III)、(IV)、(VI)を満足すれば、上記の効果が得られることがわかった。尚、主磁極２６とサイドシールド２８とがクロストラック方向Ｄｃに離間していることが前提である。
【０１１３】
又、図１１に示されるように、トラックピッチに相当する、トラック幅Ｔｗとギャップ幅Ｇｗとを合計した値が等しければ、トラック幅Ｔｗとギャップ幅Ｇｗとの比が異なっていても、Ｓと、記録対象のトラック部の隣の他のトラック部の主磁極２６側の端部に印加される記録磁界の大きさとの関係は殆ど変化しないことがわかった。
【０１１４】
又、上記のように磁気ヘッド１４の位置は主磁極２６の中心２６Ａと記録対象のトラック部のクロストラック方向Ｄｃの中心とが一致するように制御されるが、実際にはオフトラック（主磁極２６の中心２６Ａと記録対象のトラック部の中心とのクロストラック方向Ｄｃのずれ）とその補正とが繰り返されるため断続的にオフトラックが生じる。オフトラック量の最大値をＯｗとし、上記式(I)についてＯｗのマージンを考慮すると、次の式(VII)
Ｓ＞Ｔｗ／２＋Ｇｗ＋Ｏｗ  式(VII)
を満足すれば、オフトラック量が最大の場合でも、記録対象のトラック部の隣の他のトラック部に印加される記録磁界を抑制する効果が確実に得られる。
【０１１５】
又、オフトラック量の最大値Ｏｗは、通常トラックピッチの約１０％である。即ち、Ｏｗ＝０．１×（Ｔｗ＋Ｇｗ）である。従って、次の式(V)
Ｓ＞０．６×Ｔｗ＋１．１×Ｇｗ  式(V)
を満足すれば、オフトラック量が最大の場合でも、記録対象のトラック部の隣の他のトラック部に印加される記録磁界を抑制する効果が確実に得られる。
【産業上の利用可能性】
【０１１６】
本発明は、トラック部に相当する部分又はその一部がトラック幅と略等しい幅を有する記録領域であり記録領域の間の部分が非記録領域である磁気記録媒体にデータを記録するための磁気ヘッド及びこのような磁気記録媒体、磁気ヘッドを備える磁気記録再生装置に利用することができる。
【図面の簡単な説明】
【０１１７】
【図１】本発明の実施形態に係る磁気記録再生装置の概略構造を模式的に示す斜視図
【図２】同磁気記録再生装置の磁気記録媒体の概略構造を模式的に示す平面図
【図３】同磁気記録再生装置の磁気ヘッド及び磁気記録媒体の構造を拡大して模式的に示す平面図
【図４】同磁気ヘッド及び磁気記録媒体の構造を拡大して模式的に示すクロストラック方向に沿う側断面図
【図５】同磁気ヘッド及び磁気記録媒体の構造を拡大して模式的に示すトラック部の周方向に沿う側断面図
【図６】本発明の実施形態に係る磁気記録媒体の構造の他の例を模式的に示すクロストラック方向に沿う側断面図
【図７】本発明の実施形態に係る磁気記録媒体の構造の他の例を模式的に示すクロストラック方向に沿う側断面図
【図８】本発明の実施形態に係る磁気記録媒体の構造の他の例を模式的に示すクロストラック方向に沿う側断面図
【図９】シミュレーション例１に係るサイドシールドの端部の位置と、記録対象のトラック部の隣の他のトラック部の端部に印加される記録磁界の大きさとの関係を示すグラフ
【図１０】シミュレーション例２に係るサイドシールドの端部の位置と、記録対象のトラック部の隣の他のトラック部の端部に印加される記録磁界の大きさとの関係を示すグラフ
【図１１】シミュレーション例３に係るサイドシールドの端部の位置と、記録対象のトラック部の隣の他のトラック部の端部に印加される記録磁界の大きさとの関係を示すグラフ
【符号の説明】
【０１１８】
１０…磁気記録再生装置
１２、６４、７４、８４…磁気記録媒体
１４…磁気ヘッド
２２…記録領域
２４…非記録領域
２６…主磁極
２６Ａ…中心
２８…サイドシールド
２８Ａ…端部
３０、６０、７０、８０…基板
３２…軟磁性層
３４…配向層
３６、６２、７２、８２…記録層
３８…充填材
Ｄｃ…クロストラック方向
Ｐｗ…主磁極幅
Ｔｗ…トラック幅
Ｇｗ…ギャップ幅
Ｓ…主磁極の中心とサイドシールドの端部との距離
【図１】
2008152850.tif 000007
【図２】
2008152850.tif 000008
【図３】
2008152850.tif 000009
【図４】
2008152850.tif 000010
【図５】
2008152850.tif 000011
【図６】
2008152850.tif 000012
【図７】
2008152850.tif 000013
【図８】
2008152850.tif 000014
【図９】
2008152850.tif 000015
【図１０】
2008152850.tif 000016
【図１１】
2008152850.tif 000017